(57)【特許請求の範囲】
【請求項１】
下記一般式Ｉで表される色素を含有することを特徴とするインクジェット記録液。
【化１】
0003743052.tif 000019
〔式中、Ｒは、アルキル基、アルケニル基、アラルキル基またはカルボキシアルキル基を表し、Ｘ1〜Ｘ10は水素原子、アルキル基、アルケニル基、アシルアミノ基、アルキルスルホニル基、アラルキル基、ヒドロキシアルキル基、アシル基、アミノ基、シアノ基、ヒドロキシ基、スルホ基またはカルボキシル基を表す。Ｙ1およびＹ2は、各々スルホ基、ハロゲン原子を表す。Ｚはスルホ基、カルボキシル基、スルファモイル基、カルバモイル基またはアルコキシカルボニル基、ハロゲン原子を表す。ｌ及びｍは０、１又は２の整数を表し、ｎは１、２、３、４又は５の整数を表す。Ａｎ-は対陰イオンを表す。但し、分子中に対陰イオンの存在するときはＡｎ-は不要であるものとする。〕
【請求項２】
下記一般式IIで表される色素を含有することを特徴とするインクジェット記録液。
【化２】
0003743052.tif 000020
〔式中、Ｒ1およびＲ2は、各々水素原子、アルキル基、アルケニル基、アラルキル基、カルボキシアルキル基、またはスルホアルキル基を表し、Ｒ1またはＲ2の少なくとも一方はスルホアルキル基を表す。Ｘ1〜Ｘ10は水素原子、アルキル基、アルケニル基、アシルアミノ基、アルキルスルホニル基、アラルキル基、ヒドロキシアルキル基、アシル基、アミノ基、シアノ基、ヒドロキシ基、スルホ基またはカルボキシル基を表す。Ｙ1およびＹ2は、各々スルホ基、ハロゲン原子を表す。Ｚはスルホ基、カルボキシル基、スルファモイル基、カルバモイル基またはアルコキシカルボニル基、ハロゲン原子を表す。ｌ及びｍは０、１又は２の整数を表し、ｎは１、２、３、４又は５の整数を表す。Ａｎ-は対陰イオンを表す。但し、分子中に対陰イオンの存在するときはＡｎ-は不要であるものとする。〕
【発明の詳細な説明】
【０００１】
【発明の属する技術分野】
本発明は特定の色素を含有するインクジェット記録液に関するものである。
【０００２】
【従来の技術】
インクジェット記録は、インクの微小な液滴を飛翔させて、被記録媒体上に文字や画像を記録する方法である。この記録方法は、種々の被記録媒体上に記録が可能であること、カラー化が容易であることに加え、最近のインクジェットプリンタの低価格化、小型化、高細密性化、高速化によって、その需要が飛躍的に拡大しつつある。
【０００３】
このインクジェット記録方法においては、インクを連続的に吐出させ、液滴に与える荷電を制御することにより必要な液滴を被記録媒体に付着させるコンティニュアス方式と、必要な液滴のみを吐出させるオンデマンド方式が知られている。更にオンデマンド方式は、ピエゾ素子の電気−機械変換により液滴を圧力吐出させる方式、電気−熱変換により気泡を発生させて液滴を圧力吐出させる方式、静電力により液滴を吸引吐出させる方式等に大別される。
【０００４】
インクジェット用のインクジェット記録液においては、例えば上記から選択される記録方式に適合すること、高い記録画像濃度を有し色調が良好であること、耐光性や耐熱性及び耐水性といった色画像堅牢性に優れること、被記録媒体に対して定着が速く記録後に滲まないこと、インクとしての保存性に優れていること、毒性や引火性といった安全性に問題がないこと、安価であること等が要求される。
【０００５】
このような観点から、種々のインクジェット用のインクジェット記録液が提案、検討されているが、上記要求の多くを同時に満足するような記録液は極めて限られている。
【０００６】
イエロー、マゼンタ、シアン、ブラックを用いたカラー画像記録においては、例えばＣ．Ｉ．（カラー・インデックス）に記載されている従来から公知のＣ．Ｉ．Ｎｏ．を有する染料、顔料が広く検討されてきた。特にマゼンタ用のインクジェット記録液においては、Ｃ．Ｉ．アシッドレッド５２の様なキサンテン系、Ｃ．Ｉ．ダイレクトレッド２０の様なアゾ系の水溶性染料を使用したものが知られているが、前者は耐光性などの堅牢性に問題を有し、後者は彩度に欠けるといった色再現性に関する分光吸収特性上の問題を有していた。
【０００７】
この問題点を解決すべく、特開昭５９−１３３２７３号、同５９−１４７０６５号、同５９−１５５０８９号、同６０−１９０４７８号、同６０−１９９０７９号、特開平５−２９５３１２号等にはアニリノ基で置換したフェニルキサンテン色素が記載されているが、吸収が短波長で色相として好ましくなく、かつ耐光性も不十分な欠点を有していた。
【０００８】
【発明が解決しようとする課題】
本発明の目的は、色画像の耐光性に優れ、良好な色再現性のための色調に優れたインクジェット記録液、特にマゼンタ色の耐光性、色調に優れたインクジェット記録液を提供することにある。
【０００９】
【課題を解決するための手段】
本発明の目的は以下の構成により達成される。
【００１０】
１．下記一般式Ｉで表される色素を含有することを特徴とするインクジェット記録液。
【００１１】
【化４】
0003743052.tif 000002
【００１２】
式中、Ｒは、アルキル基、アルケニル基、アラルキル基またはカルボキシアルキル基を表し、Ｘ1〜Ｘ10は水素原子、アルキル基、アルケニル基、アシルアミノ基、アルキルスルホニル基、アラルキル基、ヒドロキシアルキル基、アシル基、アミノ基、シアノ基、ヒドロキシ基、スルホ基またはカルボキシル基を表す。Ｙ1およびＹ2は、各々スルホ基、ハロゲン原子を表す。Ｚはスルホ基、カルボキシル基、スルファモイル基、カルバモイル基またはアルコキシカルボニル基、ハロゲン原子を表す。ｌ及びｍは０１又は２の整数を表し、ｎは１、２、３、４又は５の整数を表す。Ａｎ-は対陰イオンを表す。但し、分子中に対陰イオンの存在するときはＡｎ-は不要であるものとする。
【００１３】
２．下記一般式IIで表される色素を含有することを特徴とするインクジェット記録液。
【００１４】
【化５】
0003743052.tif 000003
【００１５】
式中、Ｒ1およびＲ2は、各々水素原子、アルキル基、アルケニル基、アラルキル基、カルボキシアルキル基、またはスルホアルキル基を表し、Ｒ1またはＲ2の少なくとも一方はスルホアルキル基を表す。Ｘ1〜Ｘ10は水素原子、アルキル基、アルケニル基、アシルアミノ基、アルキルスルホニル基、アラルキル基、ヒドロキシアルキル基、アシル基、アミノ基、シアノ基、ヒドロキシ基、スルホ基またはカルボキシル基を表す。Ｙ1およびＹ2は、各々スルホ基、ハロゲン原子を表す。Ｚはスルホ基、カルボキシル基、スルファモイル基、カルバモイル基またはアルコキシカルボニル基、ハロゲン原子を表す。ｌ及びｍは０、１又は２の整数を表し、ｎは１、２、３、４又は５の整数を表す。Ａｎ-は対陰イオンを表す。但し、分子中に対陰イオンの存在するときはＡｎ-は不要であるものとする。
【００１９】
以下、本発明をより詳細に説明する。
【００２０】
先ず、一般式Ｉで表される色素について説明する。
【００２１】
一般式Ｉにおいて、Ｒは、アルキル基（例えば、メチル基、エチル基、プロピル基、イソプロピル基、ブチル基、イソブチル基、ペンチル基、ネオペンチル基、シクロペンチル基、ヘキシル基、シクロヘキシル基、ヘプチル基、オクチル基、２−エチルヘキシル基、ノニル基、デシル基、２−ブチルヘキシル基、ドデシル基、テトラデシル基、ヘキサデシル基、オクタデシル基等の直鎖、分岐、環状のアルキル基等）、アルケニル基（例えば、アリル基、２−ブテニル基等）、アラルキル基（例えば、ベンジル基、フェネチル基等）またはカルボキシアルキル基（例えば、カルボキシエチル基、カルボキシプロピル基等）を表す。Ｒの好ましくは、アルキル基である。Ｘ1〜Ｘ10は水素原子、アルキル基（例えば、メチル基、エチル基、プロピル基、イソプロピル基、ブチル基、イソブチル基、ペンチル基）、アルケニル基（例えば、アリル基、２−ブテニル基等）、アシルアミノ基（例えば、アセチルアミノ基、プロピオニルアミノ基、ブチリルアミノ基、ピバリルアミノ基、オクタノイルアミノ基、ベンゾイルアミノ基等）、アルキルスルホニル基（例えば、メチルスルホニル基、エチルスルホニル基、ブチルスルホニル基、オクチルスルホニル基等）、アラルキル基（例えば、ベンジル基、フェネチル基等）、ヒドロキシアルキル（例えば、ヒドロキシメチル基、ヒドロキシエチル基等）、アシル基（アセチル基、プロピオニル基、ブチリル基、イソブチリル基、ピバリル基、オクタノイル基等）、アミノ基、シアノ基、ヒドロキシ基、スルホ基またはカルボキシル基を表す。
【００２２】
Ｘ1〜Ｘ10の好ましい基は、アルキル基、スルホ基、カルボキシル基であり、更に好ましい基は、Ｘ1、Ｘ6の両方にアルキル基を有し、かつその他の位置に少なくとも一つのスルホ基、またはカルボキシル基を有する場合である。Ｙ1およびＹ2は、各々スルホ基、ハロゲン原子（例えば、フッ素原子、塩素原子、臭素原子等）を表す。Ｙ1およびＹ2の好ましい基は、スルホ基である。
【００２３】
Ｚはスルホ基、カルボキシル基、スルファモイル基（メチルアミノスルホニル基、エチルスアミノスルホニル基、プロピルアミノスルホニル基、オクチルアミノスルホニル基等）、カルバモイル基（メチルアミノカルボニル基、エチルアミノカルボニル基、プロピルアミノカルボニル基、オクチルアミノカルボニル基等）またはアルコキシカルボニル基（メトキシカルボニル基、エトキシカルボニル基、プロポキシカルボニル基、イソブトキシカルボニル基等）、ハロゲン原子（例えば、フッ素原子、塩素原子、臭素原子等）を表す。
【００２４】
Ｚの好ましい基は、スルホ基又はカルボキシル基である。更に好ましい基は、スルホ基である。ｌ及びｍは０、１又は２の整数を表し、ｌ及びｍの好ましい整数は０である。ｎは１、２、３、４又は５の整数を表し、ｎの好ましい整数は１又は２である。更に好ましい整数は１である。
【００２５】
Ａｎ-は対陰イオンを表す。対陰イオンとしてはハライドイオン（例えば、クロライド、ブロマイド等）、硫酸イオン、有機スルホネートイオン（例えば、炭素数１〜２０のアルキルスルホネート、ベンゼンスルホネート等）、脂肪酸イオン（炭素数１〜２０の脂肪族カルボキシレート等）、安息香酸イオン、しゅう酸イオン、過塩素酸イオン、テトラフルオロボレートイオンまたはヘキサフルオロホスフェートイオン等が挙げられる。
【００２６】
但し、分子中の置換基として対陰イオンを有する場合（例えば、Ｚがスルホ基またはカルボキシル基の場合等）にはＡｎ-は不要であるものとする。対陰イオンは分子内の置換基として存在する場合（すなわちＡｎ-が不要である場合）がより好ましい。
【００２７】
以下に、一般式Ｉで表される色素（本発明の色素Ｉともいう）の具体的化合物例を示すが、本発明はこれらに限定されものではない。
【００２８】
【化７】
0003743052.tif 000004
【００２９】
【化８】
0003743052.tif 000005
【００３０】
【化９】
0003743052.tif 000006
【００３１】
【化１０】
0003743052.tif 000007
【００３２】
次に一般式IIで表される色素について説明する。
【００３３】
一般式IIにおいてＲ1およびＲ2は、各々水素原子、アルキル基（例えば、メチル基、エチル基、プロピル基、イソプロピル基、ブチル基、イソブチル基、ペンチル基、ネオペンチル基、シクロペンチル基、ヘキシル基、シクロヘキシル基、ヘプチル基、オクチル基、２−エチルヘキシル基、ノニル基、デシル基、２−ブチルヘキシル基、ドデシル基、テトラデシル基、ヘキサデシル基、オクタデシル基等の直鎖、分岐、環状のアルキル基等）、アルケニル基（例えば、アリル基、２−ブテニル基等）、アラルキル基（例えば、ベンジル基、フェネチル基等）またはカルボキシアルキル基（例えば、カルボキシエチル基、カルボキシプロピル基等）、またはスルホアルキル基（スルホメチル基、スルホエチル基、スルホプロピル基、スルホブチル基等）を表し、Ｒ1またはＲ2の少なくとも一方はスルホアルキル基を表す。
【００３４】
Ｒ1、Ｒ2の好ましい原子、基は、一方がスルホアルキル基で他方がアルキル基である時、一方がスルホアルキル基で他方が水素原子である時、またはＲ1、Ｒ2の両方がスルホアルキル基である場合である。
【００３５】
Ｘ1〜Ｘ10は水素原子、アルキル基（例えば、メチル基、エチル基、プロピル基、イソプロピル基、ブチル基、イソブチル基、ペンチル基）、アルケニル基（例えば、アリル基、２−ブテニル基等）、アシルアミノ基（例えば、アセチルアミノ基、プロピオニルアミノ基、ブチリルアミノ基、ピバリルアミノ基、オクタノイルアミノ基、ベンゾイルアミノ基等）、アルキルスルホニル基（例えば、メチルスルホニル基、エチルスルホニル基、ブチルスルホニル基、オクチルスルホニル基等）、アラルキル基（例えば、ベンジル基、フェネチル基等）、ヒドロキシアルキル（例えば、ヒドロキシメチル基、ヒドロキシエチル基等）、アシル基（アセチル基、プロピオニル基、ブチリル基、イソブチリル基、ピバリル基、オクタノイル基等）、アミノ基、シアノ基、ヒドロキシ基、スルホ基またはカルボキシル基を表す。
【００３６】
Ｘ1〜Ｘ10の好ましい基は、アルキル基、スルホ基、カルボキシル基であり、更に好ましい基は、Ｘ1、Ｘ6の両方にアルキル基を有する場合である。
【００３７】
Ｙ1およびＹ2は、各々スルホ基、ハロゲン原子（例えば、フッ素原子、塩素原子、臭素原子等）を表す。Ｙ1およびＹ2の好ましい基は、スルホ基である。
【００３８】
Ｚはスルホ基、カルボキシル基、スルファモイル基（メチルアミノスルホニル基、エチルスアミノスルホニル基、プロピルアミノスルホニル基、オクチルアミノスルホニル基等）、カルバモイル基（メチルアミノカルボニル基、エチルアミノカルボニル基、プロピルアミノカルボニル基、オクチルアミノカルボニル基等）またはアルコキシカルボニル基（メトキシカルボニル基、エトキシカルボニル基、プロポキシカルボニル基、イソブトキシカルボニル基等）、ハロゲン原子（例えば、フッ素原子、塩素原子、臭素原子等）を表す。
【００３９】
Ｚの好ましい基は、スルホ基、またはカルボキシル基である。更に好ましい基は、スルホ基である。ｌ及びｍは０、１又は２の整数を表し、ｌ及びｍの好ましい整数は０である。ｎは１、２、３、４又は５の整数を表し、ｎの好ましい整数は１又は２である。更に好ましい整数は１である。
【００４０】
Ａｎ-は対陰イオンを表す。対陰イオンとしてはハライドイオン（例えば、クロライドイオン、ブロマイドイオン等）、硫酸イオン、有機スルホネートイオン（例えば、炭素数１〜２０のアルキルスルホネート、ベンゼンスルホネート等）、脂肪酸イオン（炭素数１〜２０の脂肪族カルボキシレート等）、安息香酸イオン、しゅう酸イオン、過塩素酸イオン、テトラフルオロボレートイオンまたはヘキサフルオロホスフェートイオン等が挙げられる。
【００４１】
但し、分子中の置換基として対陰イオンを有する場合（例えば、Ｚがスルホ基またはカルボキシル基の場合等）にはＡｎ-は不要であるものとする。対陰イオンは分子内の置換基として存在する場合（すなわちＡｎ-が不要である場合）がより好ましい。
【００４２】
以下に、一般式IIで表される色素（本発明の色素IIともいう）の具体的化合物例を示すが、本発明はこれらに限定されるものではない。
【００４３】
【化１１】
0003743052.tif 000008
【００４４】
【化１２】
0003743052.tif 000009
【００４５】
【化１３】
0003743052.tif 000010
【００４６】
【化１４】
0003743052.tif 000011
【００４７】
次に一般式IIIで表される色素について説明する。
【００４８】
一般式IIIにおいてＲ3およびＲ4は、各々水素原子、アルキル基（例えば、メチル基、エチル基、プロピル基、イソプロピル基、ブチル基、イソブチル基、ペンチル基、ネオペンチル基、シクロペンチル基、ヘキシル基、シクロヘキシル基、ヘプチル基、オクチル基、２−エチルヘキシル基、ノニル基、デシル基、２−ブチルヘキシル基、ドデシル基、テトラデシル基、ヘキサデシル基、オクタデシル基等の直鎖、分岐、環状のアルキル基等）、アルケニル基（例えば、アリル基、２−ブテニル基等）、アラルキル基（例えば、ベンジル基、フェネチル基等）またはカルボキシアルキル基（例えば、カルボキシエチル基、カルボキシプロピル基等）、またはスルホアルキル基（スルホメチル基、スルホエチル基、スルホプロピル基、スルホブチル基等）を表す。Ｒ3、Ｒ4の好ましい原子、基は、一方がスルホアルキル基で他方がアルキル基である時、一方がアルキル基で他方が水素原子である時、Ｒ3、Ｒ4の両方が水素原子である時、またはＲ3、Ｒ4の両方がアルキル基である場合である。
【００４９】
Ｘ11〜Ｘ20は水素原子、アルキル基（例えば、メチル基、エチル基、プロピル基、イソプロピル基、ブチル基、イソブチル基、ペンチル基）、アルケニル基（例えば、アリル基、２−ブテニル基等）、アシルアミノ基（例えば、アセチルアミノ基、プロピオニルアミノ基、ブチリルアミノ基、ピバリルアミノ基、オクタノイルアミノ基、ベンゾイルアミノ基等）、アルキルスルホニル基（例えば、メチルスルホニル基、エチルスルホニル基、ブチルスルホニル基、オクチルスルホニル基等）、アラルキル基（例えば、ベンジル基、フェネチル基等）、ヒドロキシアルキル（例えば、ヒドロキシメチル基、ヒドロキシエチル基等）、アシル基（アセチル基、プロピオニル基、ブチリル基、イソブチリル基、ピバリル基、オクタノイル基等）、アミノ基、シアノ基、ヒドロキシ基、スルホ基、カルボキシル基、アルキルスルホンアミド基またはアリールスルホンアミド基を表し、Ｘ11〜Ｘ20の内少なくとも一つはアルキルスルホンアミド基またはアリールスルホンアミド基である。Ｘ11ないしＸ20の好ましくは、Ｘ11、Ｘ16の少なくとも一方に、アルキルスルホンアミド基を有する場合、及びＸ11、Ｘ16にアルキル基を有し、Ｘ14、またはＸ19にアルキルスルホンアミド基を有する場合である。
【００５０】
Ｙ1およびＹ2は、各々スルホ基、ハロゲン原子（例えば、フッ素原子、塩素原子、臭素原子等）を表す。Ｙ1およびＹ2の好ましい基は、スルホ基である。
【００５１】
Ｚはスルホ基、カルボキシル基、スルファモイル基（メチルアミノスルホニル基、エチルスアミノスルホニル基、プロピルアミノスルホニル基、オクチルアミノスルホニル基等）、カルバモイル基（メチルアミノカルボニル基、エチルアミノカルボニル基、プロピルアミノカルボニル基、オクチルアミノカルボニル基等）またはアルコキシカルボニル基（メトキシカルボニル基、エトキシカルボニル基、プロポキシカルボニル基、イソブトキシカルボニル基等）、ハロゲン原子（例えば、フッ素原子、塩素原子、臭素原子等）を表す。Ｚの好ましい基は、スルホ基又はカルボキシル基である。更に好ましい基は、スルホ基である。ｌ及びｍは０、１又は２の整数を表し、ｌ及びｍの好ましい整数は０である。ｎは１、２、３、４又は５の整数を表し、ｎの好ましい整数は１又は２である。更に好ましい整数は１である。
【００５２】
Ａｎ-は対陰イオンを表す。対陰イオンとしてはハライドイオン（例えば、クロライド、ブロマイド等）、硫酸イオン、有機スルホネートイオン（例えば、炭素数１〜２０のアルキルスルホネート、ベンゼンスルホネート等）、脂肪酸イオン（炭素数１〜２０の脂肪族カルボキシレート等）、安息香酸イオン、しゅう酸イオン、過塩素酸イオン、テトラフルオロボレートイオンまたはヘキサフルオロホスフェートイオン等が挙げられる。
【００５３】
但し、分子中の置換基として対陰イオンを有する場合（例えば、Ｚがスルホ基またはカルボキシル基の場合等）にはＡｎ-は不要であるものとする。対陰イオンは分子内の置換基として存在する場合（すなわちＡｎ-が不要である場合）がより好ましい。
【００５４】
以下に、一般式IIIで表される色素（本発明の色素IIIともいう）の具体的化合物例を示すが、本発明はこれらに限定されない。
【００５５】
【化１５】
0003743052.tif 000012
【００５６】
【化１６】
0003743052.tif 000013
【００５７】
【化１７】
0003743052.tif 000014
【００５８】
【化１８】
0003743052.tif 000015
【００５９】
本発明の一般式Ｉ、一般式II及び一般式IIIで表される色素（以下、本発明の色素ともいう）を含有するインクジェット記録液は、水系インク、油系インク、固体（相変化）インク等の種々の溶媒系を用いることができるが、水性インクを溶媒系として特に好ましく用いられる。
【００６０】
水系インク溶媒は、本発明の色素の他に、溶剤として水と水溶性有機溶媒を一般に使用する。水溶性有機溶媒の例としては、アルコール類（例えばメタノール、エタノール、プロパノール、ｉ−プロパノール、ブタノール、ｉ−ブタノール、ｓｅｃ−ブタノール、ｔ−ブタノール、ペンタノール、ヘキサノール、シクロヘキサノール、ベンジルアルコール等）、多価アルコール類（例えばエチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等）、多価アルコールエーテル類（例えばエチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノブチルエーテル、エチレングリコールモノメチルエーテルアセテート、トリエチレングリコールモノメチルエーテル、トリエチレングリコールモノエチルエーテル、エチレングリコールモノフェニルエーテル、プロピレングリコールモノフェニルエーテル等）、アミン類（例えばエタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン等）、アミド類（例えばホルムアミド、Ｎ，Ｎ−ジメチルホルムアミド、Ｎ，Ｎ−ジメチルアセトアミド等）、複素環類（例えば２−ピロリドン、Ｎ−メチル−２−ピロリドン、シクロヘキシルピロリドン、２−オキサゾリドン、１，３−ジメチル−２−イミダゾリジノン等）、スルホキシド類（例えばジメチルスルホキシド）、スルホン類（例えばスルホラン）、尿素、アセトニトリル、アセトン等が挙げられる。
【００６１】
上記のような水系インク溶媒において、本発明の色素はその溶媒系に可溶であれば、そのまま溶解して用いることができる。一方、そのままでは不溶の固体である場合、色素を種々の分散機（例えばボールミル、サンドミル、アトライター、ロールミル、アジテーターミル、ヘンシェルミキサー、コロイドミル、超音波ホモジナイザー、パールミル、ジェットミル、オングミル等）を用いて微粒子化するか、あるいは可溶である有機溶媒に色素を溶解した後に、高分子分散剤や界面活性剤と共にその溶媒系に分散させることができる。更に、そのままでは不溶の液体又は半溶融状物である場合、そのままか、あるいは可溶である有機溶媒に溶解して、高分子分散剤や界面活性剤と共にその溶媒系に分散させることができる。
【００６２】
このような水系インク溶媒の具体的調製法については、例えば特開平５−１４８４３６号、同５−２９５３１２号、同７−９７５４１号、同７−８２５１５号、同７−１１８５８４号等に記載の方法を参照することができる。
【００６３】
油系インク溶媒は、本発明の色素の他に溶媒として有機溶媒を使用する。油系インクの溶媒例としては、上記水系インク溶媒において水溶性有機溶媒として例示したものに加えて、アルコール類（例えばペンタノール、ヘプタノール、オクタノール、フェニルエチルアルコール、フェニルプロピルアルコール、フルフリルアルコール、アニルアルコール等）、エステル類（エチレングリコールジアセテート、エチレングリコールモノメチルエーテルアセテート、ジエチレングリコールモノメチルエーテルアセテート、プロピレングリコールジアセテート、酢酸エチル、酢酸アミル、酢酸ベンジル、酢酸フェニルエチル、酢酸フェノキシエチル、フェニル酢酸エチル、プロピオン酸ベンジル、安息香酸エチル、安息香酸ブチル、ラウリン酸ブチル、ミリスチン酸−ｉ−プロピル、燐酸トリエチル、燐酸トリブチル、フタル酸ジエチル、フタル酸ジブチル、マロン酸ジエチル、マロン酸ジプロピル、ジエチルマロン酸ジエチル、琥珀酸ジエチル、琥珀酸ジブチル、グルタル酸ジエチル、アジピン酸ジエチル、アジピン酸ジプロピル、アジピン酸ジブチル、アジピン酸ジ（２−メトキシエチル）、セバシン酸ジエチル、マレイン酸ジエチル、マレイン酸ジブチル、マレイン酸ジオクチル、フマル酸ジエチル、フマル酸ジオクチル、桂皮酸−３−ヘキセニル等）、エーテル類（例えばブチルフェニルエーテル、ベンジルエチルエーテル、ヘキシルエーテル等）、ケトン類（例えばベンジルメチルケトン、ベンジルアセトン、ジアセトンアルコール、シクロヘキサノン等）、炭化水素類（例えば石油エーテル、石油ベンジル、テトラリン、デカリン、ｔ−アミルベンゼン、ジメチルナフタリン等）、アミド類（例えばＮ，Ｎ−ジエチルドデカンアミド）等が挙げられる。
【００６４】
上記のような油系インク溶媒において、本発明の色素はそのまま溶解させて用いることができ、又、樹脂状分散剤や結合剤を併用して分散又は溶解させて用いることもできる。このような油系インク溶媒の具体的調製法については、特開平３−２３１９７５号、特表平５−５０８８８３号等に記載の方法を参照することができる。
【００６５】
固体（相変化）インク溶媒は、本発明のインクジェット記録液の他に溶媒として室温で固体であり、かつインクジェット記録液の加熱噴射時には溶融した液体状である相変化溶媒を使用する。この様な相変化溶媒としては、天然ワックス（例えば密蝋、カルナウバワックス、ライスワックス、木蝋、ホホバ油、鯨蝋、カンデリラワックス、ラノリン、モンタンワックス、オゾケライト、セレシン、パラフィンワックス、マイクロクリスタリンワックス、ペトロラクタム等）、ポリエチレンワックス誘導体、塩素化炭化水素、有機酸（例えばパルミチン酸、ステアリン酸、ベヘン酸、チグリン酸、２−アセトナフトンベヘン酸、１２−ヒドロキシステアリン酸、ジヒドロキシステアリン酸等）、有機酸エステル（例えば上記有機酸のグリセリン、ジエチレングリコール、エチレングリコール等のアルコールとのエステル等）、アルコール（例えばドデカノール、テトラデカノール、ヘキサデカノール、エイコサノール、ドコサノール、テトラコサノール、ヘキサコサノール、オクタコサノール、ドデセノール、ミリシルアルコール、テトラセノール、ヘキサデセノール、エイコセノール、ドコセノール、ピネングリコール、ヒノキオール、ブチンジオール、ノナンジオール、イソフタリルアルコール、メシセリン、テレフタリルアルコール、ヘキサンジオール、デカンジオール、ドデカンジオール、テトラデカンジオール、ヘキサデカンジオール、ドコサンジオール、テトラコサンジオール、テレピネオール、フェニルグリセリン、エイコサンジオール、オクタンジオール、フェニルプロピレングリコール、ビスフェノールＡ、パラアルファクミルフェノール等）、ケトン（例えばベンゾイルアセトン、ジアセトベンゼン、ベンゾフェノン、トリコサノン、ヘプタコサノン、ヘプタトリアコンタノン、ヘントリアコンタノン、ステアロン、ラウロン、ジアニソール等）、アミド（例えばオレイン酸アミド、ラウリル酸アミド、ステアリン酸アミド、リシノール酸アミド、パルミチン酸アミド、テトラヒドロフラン酸アミド、エルカ酸アミド、ミリスチン酸アミド、１２−ヒドロキシステアリン酸アミド、Ｎ−ステアリルエルカ酸アミド、Ｎ−オレイルステアリン酸アミド、Ｎ，Ｎ′−エチレンビスラウリン酸アミド、Ｎ，Ｎ′−エチレンビスステアリン酸アミド、Ｎ，Ｎ′−エチレンビスオレイン酸アミド、Ｎ，Ｎ′−メチレンビスステアリン酸アミド、Ｎ，Ｎ′−エチレンビスベヘン酸アミド、Ｎ，Ｎ′−キシリレンビスステアリン酸アミド、Ｎ，Ｎ′−ブチレンビスステアリン酸アミド、Ｎ，Ｎ′−ジオレイルアジピン酸アミド、Ｎ，Ｎ′−ジステアリルアジピン酸アミド、Ｎ，Ｎ′−ジオレイルセバシン酸アミド、Ｎ，Ｎ′−ジステアリルセバシン酸アミド、Ｎ，Ｎ′−ジステアリルイソフタル酸アミド、フェナセチン、トルアミド、アセトアミド、オレイン酸２量体／エチレンジアミン／ステアリン酸（１：２：２のモル比）の様な２量体酸とジアミンと脂肪酸の反応生成物テトラアミド等）、スルホンアミド（例えばパラトルエンスルホンアミド、エチルベンゼンスルホンアミド、ブチルベンゼンスルホンアミド等）、シリコーン類（例えばシリコーンＳＨ６０１８（東レシリコーン）、シリコーンＫＲ２１５，２１６，２２０（信越シリコーン）等）、クマロン類（例えば、エスクロンＧ−９０（新日鐵化学）等）、コレステロール脂肪酸エステル（例えばステアリン酸コレステロール、パルミチン酸コレステロール、ミリスチン酸コレステロール、ベヘン酸コレステロール、ラウリン酸コレステロール、メリシン酸コレステロール等）、糖類脂肪酸エステル（ステアリン酸サッカロース、パルミチン酸サッカロース、ベヘン酸サッカロース、ラウリン酸サッカロース、メリシン酸サッカロース、ステアリン酸ラクトース、パルミチン酸ラクトース、ミリスチン酸ラクトース、ベヘン酸ラクトース、ラウリン酸ラクトース、メリシン酸ラクトース等）が挙げられる。
【００６６】
固体インク溶媒の固体−液体相変化における相変化温度は６０℃以上であることが好ましく、８０〜１５０℃であることがより好ましい。
【００６７】
上記の様な固体インク溶媒において、加熱した溶融状態の溶媒に本発明の色素をそのまま溶解させて用いることができ、又、樹脂状分散剤や結合剤を併用して分散又は溶解させて用いることもできる。
【００６８】
このような固体インク溶媒の具体的調製法については、特開平５−１８６７２３号、同７−７０４９０号等に記載の方法を参照することができる。
【００６９】
上記の水系、油系、固体の各インク溶媒は、その飛翔時の粘度として４０ｃｐｓ以下が好ましく、３０ｃｐｓ以下であることがより好ましい。
【００７０】
本発明のインクジェット記録液は、その飛翔時の表面張力として２０ｄｙｎ／ｃｍ以上が好ましく、３０〜８０ｄｙｎ／ｃｍであることがより好ましい。
【００７１】
本発明のインクジェット記録液において、本発明の一般式Ｉ、一般式II及び一般式IIIで表される色素は、全インクジェット記録液量の０．１〜２５重量％の範囲で使用されることが好ましく、０．５〜１０重量％の範囲であることがより好ましい。
【００７２】
本発明のインクジェット記録液においては、吐出安定性、プリントヘッドやインクカートリッジ適合性、保存安定性、画像保存性、その他の諸性能向上の目的に応じて、粘度調整剤、表面張力調整剤、比抵抗調整剤、皮膜形成剤、分散剤、界面活性剤、紫外線吸収剤、酸化防止剤、褪色防止剤、防黴剤、防錆剤等を添加することもできる。
【００７３】
本発明のインクジェット記録液は、その使用する記録方式に関して特に制約はないが、特にオンデマンド方式のインクジェットプリンタ用のインクとして好ましく使用することができる。オンデマンド型方式としては、電気−機械変換方式（例えばシングルキャビティー型、ダブルキャビティー型、ベンダー型、ピストン型、シェアーモード型、シェアードウォール型等）、電気−熱変換方式（例えばサーマルインクジェット型、バブルジェット型等）、静電吸引方式（例えば電界制御型、スリットジェット型等）、放電方式（例えばスパークジェット型）などを具体例として挙げることができる。
【００７４】
【実施例】
実施例により本発明を更に具体的に説明するが、本発明はこの実施例における形態に限定されるものではない。
【００７５】
実施例１
表１に記載の組成を有する各インク組成物を用いて、インクジェットプリンタＭＪ−５０００Ｃ（セイコーエプソン株式会社製、電気−機械変換方式）によって、インクジェット用専用コート紙上に記録したマゼンタ画像サンプルを得た。このサンプルを用いて、下記のように定義した耐光性、色調の評価を行った結果を表１に示す。
【００７６】
耐光性：ＰＤＡ−６５（コニカ（株）製）の緑色光による反射濃度の測定から算出したキセノンフェードメーターにて２４時間爆射した後のサンプルの未爆射サンプルに対する画像の残存率
耐光性（％）＝（爆射試料の緑色光反射濃度／未爆射試料の緑色光反射濃度）×１００
色調：ＰＤＡ−６５（コニカ（株）製）を用いて青色、緑色、赤色光における反射濃度を測定し、緑色光における反射濃度を１に規格化した場合の相対青色光反射濃度および相対赤色光反射濃度を算出して下記基準にて評価
すなわち○は青色光および赤色光の波長領域に不正吸収が少ない良好な色調のマゼンタ画像を表す。
【００７７】
○：相対青色光反射濃度０．２５未満かつ相対赤色光反射濃度０．１０未満の場合
△ｂ：相対青色光反射濃度０．２５以上で相対赤色光反射濃度０．１０未満の場合
△ｒ：相対青色光反射濃度０．２５未満で相対赤色光反射濃度０．１０以上の場合
×：相対青色光反射濃度０．２５以上かつ相対赤色光反射濃度０．１０以上の場合。
【００７８】
尚、表１の各化合物量の単位は全インクジェット記録液に対しての重量％である。表中に記載の比較−１、比較−２および界面活性剤−１の構造を下記に示す。
【００７９】
【化１９】
0003743052.tif 000016
【００８０】
【表１】
0003743052.tif 000017
【００８１】
表１の結果から明らかなように、本発明のインクジェット記録液は比較のインクジェット記録液を使用した場合に比較して耐光性に優れ、かつ緑色光領域の反射濃度に対する青色光および赤色光領域の不正吸収が少ない色調が良好のものであることがわかる。
【００８２】
さらに、本プリンタにおける連続吐出試験においても問題なく使用でき、本発明のインクジェット記録液の電気−機械変換方式に対する高い信頼性を確認した。
【００８３】
実施例２
表２に記載の組成を有する各インク組成物を用いて、インクジェットプリンタＢＪＣ−６００Ｊ（キャノン社製、電気−熱変換方式）によって、インクジェット用専用光沢紙上に記録したサンプルを得た。このサンプルを用いて実施例１と同様に耐光と色調の評価を行った結果を表２に示す。
【００８４】
尚、表２の各化合物量の単位は全インクジェット記録液に対しての重量％であり、比較−１、比較−２の化合物および評価項目の定義は各々実施例１と同様である。
【００８５】
【表２】
0003743052.tif 000018
【００８６】
表２の結果から明らかなように、本発明のインクジェット記録液は比較のインクジェット記録液を使用した場合に比較して耐光性に優れ、かつ緑色光領域の反射濃度に対する青色光および赤色光領域の不正吸収が少ない色調が良好のものであることがわかる。
【００８７】
また、本プリンタの系において本発明のインクジェット記録液の熱時変質によるヘッドの異常等は確認されず、電気−熱変換方式に対する適合性を持ち合わせていることを確認した。
【００８８】
【発明の効果】
以上、実施例で実証したように、本発明のインクジェット記録液は、色画像の耐光性に優れ、良好な色再現性のための色調に優れ、特にマゼンタ色の耐光性と色調に優れた効果を有する。